(57)【要約】【課題】電界に応じて移動しない粒子の偏在を解消する画像表示装置及びプログラムを得る。【解決手段】表示媒体１２に、基板１４Ａの基板１４Ｂに対向する部位に配置された複数の電極１６Ａと、基板１４Ｂの基板１４Ａに対向する部位に配置された複数の電極１６Ｂと、電極１６Ａ，１６Ｂ間に電界が発生するように電圧を印加する電圧印加部５６と、電極１６Ａ，１６Ｂ間に発生する電界に応じて移動する着色された電気泳動粒子群１８、及び上記電界に応じて移動しない着色された非電気泳動粒子群２０が分散され、かつ基板１４Ａ，１４Ｂ間に封入された透光性を有する分散液体２２と、を設け、ＣＰＵ５０によって、電極１６Ａ，１６Ｂ間に表示画像に応じた電界を発生するように電圧印加部５６を制御する制御、及び予め定められたタイミングで電気泳動粒子群１８が画像を表示する方向とは異なる方向に移動するように電圧印加部５６を制御する制御を行う。【選択図】図１
2010181548.tif 000002
【特許請求の範囲】
【請求項１】
間隙を隔て対向して配置された、少なくとも一方が透光性を有する一対の基板と、
前記一対の基板の一方の基板の他方の基板に対向する部位に配置された第１の電極と、
前記他方の基板の前記一方の基板に対向する部位に配置された複数の第２の電極と、
前記第１の電極と前記第２の電極との間に電界が発生するように電圧を印加する電圧印加手段と、
前記第１の電極と前記第２の電極との間に発生する電界の向きに応じた方向に移動する着色された第１の粒子群、及び前記電界に応じて移動しない着色された第２の粒子群が分散され、かつ前記一対の基板間に封入された透光性を有する分散液体と、
前記第１の電極と前記複数の第２の電極との間に表示画像に応じた電界を発生するように前記電圧印加手段を制御する第１の制御、及び予め定められたタイミングで前記第１の粒子群が画像を表示する方向とは異なる方向に移動するように前記電圧印加手段を制御する第２の制御を行う制御手段と、
を備えた画像表示装置。
【請求項２】
前記制御手段は、前記第２の制御において、隣り合う前記第２の電極毎に印加される電圧の大きさが異なると共に、前記第１の電極と前記複数の第２の電極とに印加される電圧の大きさが異なるように前記電圧印加手段を制御する請求項１記載の画像表示装置。
【請求項３】
前記第１の電極は、前記第２の電極各々に対向するように複数設けられ、
前記制御手段は、前記第２の制御において、隣り合う前記第１の電極毎及び隣り合う前記第２の電極毎に印加される電圧の大きさが異なると共に、対向する前記第１の電極と前記第２の電極とに印加される電圧の大きさが異なるように前記電圧印加手段を制御する請求項１記載の画像表示装置。
【請求項４】
前記制御手段は、前記予め定められたタイミングで、前記第１の粒子群が前記第１の電極、又は、前記複数の第２の電極が設けられている方向に移動するように前記電圧印加手段を制御した後に、前記第２の制御を行う請求項１乃至請求項３の何れか１項記載の画像表示装置。
【請求項５】
前記制御手段は、前記予め定められたタイミングで、前記第１の粒子群が前記第１の電極、又は、前記複数の第２の電極が設けられている方向に移動する移動する移動処理を行うように前記電圧印加手段を制御した後に、前記第１の粒子群が、前記移動処理で移動した電極とは異なる電極の方向に前記間隙に比較して短い距離移動するように前記電圧印加手段を制御し、その後、前記第２の制御を行う請求項１乃至請求項３の何れか１項記載の画像表示装置。
【請求項６】
少なくとも一方が透光性を有すると共に間隙を隔て対向して配置された一対の基板と、前記一対の基板の一方の基板に、他方の基板に対向して配置された第１の電極と、前記他方の基板に、前記一方の基板に対向して配置された複数の第２の電極と、前記第１の電極と前記第２の電極との間に電界が発生するように電圧を印加する電圧印加手段と、前記第１の電極と前記第２の電極との間に発生する電界に応じて移動する着色された第１の粒子群、及び前記電界に応じて移動しない着色された第２の粒子群が分散され、かつ前記一対の基板間に封入された透光性を有する分散液体と、を備えた画像表示装置におけるプログラムであって、
コンピュータを、
前記第１の電極と前記複数の第２の電極との間に表示画像に応じた電界を発生するように前記電圧印加手段を制御する第１の制御、及び予め定められたタイミングで前記第１の粒子群が画像を表示する方向とは異なる方向に移動するように前記電圧印加手段を制御する第２の制御を行う制御手段と、
して機能させるためのプログラム。
【請求項７】
コンピュータを、請求項１乃至請求項５の何れか１項に記載の画像表示装置における前記制御手段として機能させるためのプログラム。
【発明の詳細な説明】
【技術分野】
【０００１】
本発明は、画像表示装置及びプログラムに関する。
【背景技術】
【０００２】
従来、メモリ性を有し、画像の書換えを繰り返し行える画像表示装置として、着色された電気泳動粒子を用いた画像表示装置が知られている。
【０００３】
特許文献１には、分散媒と、色調の異なる１種類以上の着色粒子（Ａ）及び色調の異なる１種類以上の着色粒子（Ｂ）からなる表示材料を用い、電気泳動を利用して表示を行う方法において、外部から印加された一定の電界に対応して分散媒中を移動する着色粒子（Ａ）と、外部から印加された一定の電界に対しては分散媒中を移動しない着色粒子（Ｂ）とを用いて表示することを特徴とする電気泳動表示方法が開示されている。
【先行技術文献】
【特許文献】
【０００４】
【特許文献１】特開２００１−１８８２６９公報
【発明の概要】
【発明が解決しようとする課題】
【０００５】
本発明は、電界に応じて移動しない粒子の偏在を解消する画像表示装置及びプログラムを提供することを目的とする。
【課題を解決するための手段】
【０００６】
上記目的を達成するために、請求項１の発明は、間隙を隔て対向して配置された、少なくとも一方が透光性を有する一対の基板と、前記一対の基板の一方の基板の他方の基板に対向する部位に配置された第１の電極と、前記他方の基板の前記一方の基板に対向する部位に配置された複数の第２の電極と、前記第１の電極と前記第２の電極との間に電界が発生するように電圧を印加する電圧印加手段と、前記第１の電極と前記第２の電極との間に発生する電界の向きに応じた方向に移動する着色された第１の粒子群、及び前記電界に応じて移動しない着色された第２の粒子群が分散され、かつ前記一対の基板間に封入された透光性を有する分散液体と、前記第１の電極と前記複数の第２の電極との間に表示画像に応じた電界を発生するように前記電圧印加手段を制御する第１の制御、及び予め定められたタイミングで前記第１の粒子群が画像を表示する方向とは異なる方向に移動するように前記電圧印加手段を制御する第２の制御を行う制御手段と、を備えている。
【０００７】
また、請求項２に記載の発明は、請求項１に記載の発明において、前記制御手段が、前記第２の制御において、隣り合う前記第２の電極毎に印加される電圧の大きさが異なると共に、前記第１の電極と前記複数の第２の電極とに印加される電圧の大きさが異なるように前記電圧印加手段を制御する。
【０００８】
また、請求項３に記載の発明は、請求項１に記載の発明において、前記第１の電極が、前記第２の電極各々に対向するように複数設けられ、前記制御手段が、前記第２の制御において、隣り合う前記第１の電極毎及び隣り合う前記第２の電極毎に印加される電圧の大きさが異なると共に、対向する前記第１の電極と前記第２の電極とに印加される電圧の大きさが異なるように前記電圧印加手段を制御する。
【０００９】
また、請求項４に記載の発明は、請求項１乃至請求項３の何れか１項に記載の発明において、前記制御手段が、前記予め定められたタイミングで、前記第１の粒子群が前記第１の電極、又は、前記複数の第２の電極が設けられている方向に移動するように前記電圧印加手段を制御した後に、前記第２の制御を行う。
【００１０】
また、請求項５に記載の発明は、請求項１乃至請求項３の何れか１項に記載の発明において、前記制御手段が、前記予め定められたタイミングで、前記第１の粒子群が前記第１の電極、又は、前記複数の第２の電極が設けられている方向に移動する移動する移動処理を行うように前記電圧印加手段を制御した後に、前記第１の粒子群が、前記移動処理で移動した電極とは異なる電極の方向に前記間隙に比較して短い距離移動するように前記電圧印加手段を制御し、その後、前記第２の制御を行う。
【００１１】
一方、上記目的を達成するために、請求項６の発明は、少なくとも一方が透光性を有すると共に間隙を隔て対向して配置された一対の基板と、前記一対の基板の一方の基板に、他方の基板に対向して配置された第１の電極と、前記他方の基板に、前記一方の基板に対向して配置された複数の第２の電極と、前記第１の電極と前記第２の電極との間に電界が発生するように電圧を印加する電圧印加手段と、前記第１の電極と前記第２の電極との間に発生する電界に応じて移動する着色された第１の粒子群、及び前記電界に応じて移動しない着色された第２の粒子群が分散され、かつ前記一対の基板間に封入された透光性を有する分散液体と、を備えた画像表示装置におけるプログラムであって、コンピュータを、前記第１の電極と前記複数の第２の電極との間に表示画像に応じた電界を発生するように前記電圧印加手段を制御する第１の制御、及び予め定められたタイミングで前記第１の粒子群が画像を表示する方向とは異なる方向に移動するように前記電圧印加手段を制御する第２の制御を行う制御手段と、して機能させるためのプログラムである。
【００１２】
また、上記目的を達成するために、請求項７の発明は、コンピュータを、請求項１乃至請求項５の何れか１項に記載の画像表示装置における前記制御手段として機能させるためのプログラムである。
【発明の効果】
【００１３】
請求項１，６，７に係る発明よれば、第１の粒子群が画像を表示する方向にのみ移動する場合に比較して、電界に応じて移動しない粒子の偏在が解消される。
【００１４】
請求項２に係る発明よれば、本構成を有さない場合に比べ、簡易な構成で、電界に応じて移動しない粒子の偏在が解消される。
【００１５】
請求項３に係る発明によれば、本構成を有さない場合に比べ、より多くの電界に応じて移動する粒子が、画像を表示する場合とは異なる方向に移動する。
【００１６】
請求項４に係る発明によれば、本構成を有さない場合に比べ、より多くの電界に応じて移動する粒子が、画像を表示する場合とは異なる方向に移動する。
【００１７】
請求項５に係る発明によれば、本構成を有さない場合に比べ、より多くの電界に応じて移動する粒子が、画像を表示する場合とは異なる方向に移動する。
【図面の簡単な説明】
【００１８】
【図１】実施の形態に係る画像表示装置の電気系の要部構成を示すブロック図、及び表示媒体の要部構成を示す断面図である。
【図２】実施の形態に係る表示媒体に表示される画像を示す図である。
【図３】実施の形態に係る初期化プログラムの処理の流れを示すフローチャートである。
【図４】実施の形態に係る初期化処理の説明に供する図である。
【図５】他の形態に係る画像表示装置の電気系の要部構成を示すブロック図、及び表示媒体の要部構成を示す断面図である。
【発明を実施するための形態】
【００１９】
以下、図面を参照して、本発明の実施の形態について詳細に説明する。
【００２０】
図１に示すように、本発明の実施の形態に係る画像表示装置１０は、表示媒体１２を備えており、表示媒体１２は、一対の基板１４Ａ，１４Ｂと、複数の電極１６Ａと、複数の電極１６Ｂと、電気泳動粒子群１８及び非電気泳動粒子群２０が分散された分散液体２２とを備えている。
【００２１】
基板１４Ａ，１４Ｂは、透光性を有し、間隙を隔て対向して配置されている。なお、基板１４Ａ，１４Ｂとしては、例えば、ガラスや、プラスチック、ポリカーボネート樹脂、アクリル樹脂、ポリイミド樹脂、ポリエステル樹脂、エポキシ樹脂、又はポリエーテルサルフォン樹脂等が挙げられる。
【００２２】
また、電極１６Ａは、基板１４Ａの基板１４Ｂに対向する部位に配置され、電極１６Ｂは、基板１４Ｂの基板１４Ａに対向する部位に配置されている。なお、本実施の形態に係る電極１６Ａ及び電極１６Ｂは、各々が対向するように設けられている。
【００２３】
また、電極１６Ａ，１６Ｂとしては、インジウム、スズ、カドミウム、又はアンチモン等の酸化物、ＩＴＯ等の複合酸化物、金、銀、銅、又はニッケル等の金属、ポリピロールやポリチオフェン等の有機材料等を使用する。これらは単層膜、混合膜あるいは複合膜として使用され、蒸着法、スパッタリング法、又は塗布法等で形成される。また、その厚さは、蒸着法、及びスパッタリング法によれば、通常１００Å以上２０００Å以下の範囲内である。電極１６Ａ，１６Ｂは、従来の液晶表示素子あるいはプリント基板のエッチング等従来公知の手段により、所望のパターン、例えば、マトリックス状、あるいはパッシブマトリックス駆動をするストライプ状に形成される。なお、本実施の形態に係る表示媒体１２では、電極１６Ａ，１６Ｂがマトリックス状に形成され、互いに対向する一対の電極１６Ａ，１６Ｂが１画素に対応している。なお、図１では、錯綜を回避するため、３対の電極１６Ａ，１６Ｂのみを図示している。
【００２４】
なお、本実施の形態に係る表示媒体１２では、基板１４Ａの外側表面に電極１６Ａが備えられ、基板１４Ｂの外側表面に電極１６Ｂが備えられているが、これに限らず、基板１４Ａの内側表面に電極１６Ａが備えられ、基板１４Ｂの内側表面に電極１６Ｂが備えられてもよく、又は基板１４Ａに電極１６Ａが埋め込まれ、基板１４Ｂに電極１６Ｂが埋め込まれていてもよい。
【００２５】
さらに、上記電極１６Ａ，１６Ｂの破損や、電気泳動粒子群１８の固着を招く電極１６Ａ，１６Ｂ間のリークの発生を防止するため、必要に応じて電極１６Ａ，１６Ｂの上には誘電体膜としての表面層を形成してもよい。
【００２６】
また、分散液体２２は、上述したように、電気泳動粒子群１８及び非電気泳動粒子群２０が分散され、かつ基板１４Ａ，１４Ｂ間に封入され、透光性を有している。なお、分散液体２２としては、例えばシリコン、トルエン、キシレンや、インパラフィン、及びノルマルパラフィン等の炭化水素系溶媒を使用する。
【００２７】
なお、電気泳動粒子群１８は、帯電しており、電極１６Ａ，１６Ｂ間に発生する電界の向きに応じた方向に移動する。なお、本実施の形態に係る表示媒体１２では、正に帯電している電気泳動粒子群１８を適用するが、これに限らず、負に帯電している電気泳動粒子群１８を適用してもよい。
【００２８】
電気泳動粒子群１８の、電界に応じて移動するために必要な電圧の範囲は、電気泳動粒子群１８の静電力、電気泳動粒子群１８を構成する粒子間の弱い粒子間力による粒子の流動抵抗、及び粒子間や粒子と基板１４Ａ，１４Ｂ間のファンデルワールス力等により定まる。このため、電気泳動粒子群１８を構成する粒子の平均帯電量、粒子表面の分散液体２２に対する流動抵抗、粒子の粒径、及び粒子の形状係数の何れか１つ又は複数を調整することで、電気泳動粒子群１８の電界に応じて移動するために必要な電圧の範囲が調整される。また、電気泳動粒子群１８は、電圧の印加を停止した後も、ファンデルワールス力や鏡像力等によって、電圧が印加された時の状態が維持される。
【００２９】
なお、電気泳動粒子群１８を構成する粒子としては、ガラスビーズ、アルミナ、又は酸化チタン等の絶縁性の金属酸化物粒子等、熱可塑性若しくは熱硬化性樹脂粒子、これらの樹脂粒子の表面に着色剤を固定した粒子、及び熱可塑性若しくは熱硬化性樹脂中に着色剤を含有する粒子等が挙げられ、各粒子の内部又は表面には、帯電制御剤が混合される。
【００３０】
なお、電気泳動粒子群１８を構成する粒子は、その体積平均粒径が、一般的には、０．０１μｍ〜１０μｍであり、好ましくは０．０３μｍ〜３μｍであるが、これに限定されない。電気泳動粒子群１８を構成する粒子の体積平均粒径が上記範囲より小さいと、電気泳動粒子群１８の帯電量が小さくなり、分散液体２２中を移動する速度が遅くなることがある。つまり表示応答性が低下することがある。反対に電気泳動粒子群１８を構成する粒子の体積平均粒径が上記範囲より大きいと、追従性はよいが、自重による沈殿が発生し易くなることがある。
【００３１】
一方、非電気泳動粒子群２０は、電界に応じて移動せず、非電気泳動粒子群２０を構成する粒子としては、着色剤をポリスチレンやポリエチレン、ポリプロピレン、ポリカーボネート、アクリル樹脂、フェノール樹脂、又はホルムアルデヒド縮合物等に分散した粒子が挙げられる。
【００３２】
また、本実施の形態に係る画像表示装置１０では、非電気泳動粒子群２０を構成する粒子の体積平均粒径を、電気泳動粒子群１８を構成する粒子の粒径に比較して大きい粒径とするが、これに限らないことは言うまでも無い。
【００３３】
なお、本実施の形態に係る表示媒体１２では、着色された電気泳動粒子群１８の色として黒色を適用し、着色された非電気泳動粒子群２０の色として白色を適用するが、これに限らず、電気泳動粒子群１８の色と非電気泳動粒子群２０の色とが異なる色であるならば、他の色を適用してもよい。
【００３４】
さらに、画像表示装置１０は、画像表示装置１０全体の動作を司るＣＰＵ（Central Processing Unit）５０、各種プログラムや各種パラメータ、及び各種テーブル情報等が予め記憶された記憶媒体としてのＲＯＭ（Read Only Memory）５２、ＣＰＵ５０による各種プログラムの実行時のワークエリア等として用いられるＲＡＭ（Random Access Memory）５４、電極１６Ａ，１６Ｂ間に電界が発生するように電圧を印加する電圧印加部５６、及び表示媒体１２に表示される画像を示す画像情報を記憶する画像記憶部５８を備えている。
【００３５】
なお、本実施の形態に係るＣＰＵ５０は、ＲＯＭ５２、ＲＡＭ５４、電圧印加部５６、及び画像記憶部５８に電気的にバスを介して接続されている。従って、ＣＰＵ５０は、ＲＯＭ５２、ＲＡＭ５４、及び画像記憶部５８へのアクセス、電圧印加部５６の動作の制御を各々行なう。また、本実施の形態に係るＣＰＵ５０は、表示媒体１２に画像を書き込む場合に、電極１６Ａ，１６Ｂ間に表示画像に応じた電界が発生するように電圧印加部５６を制御する画像表示処理を行う。
【００３６】
また、実施の形態に係る画像表示装置１０では、画像記憶部５８としてＲＡＭを適用しているがこれに限らず、ＥＥＰＲＯＭ（Electrically Erasable and Programmable Read Only Memory）、及びフラッシュＥＥＰＲＯＭ（Flash EEPROM）等の他の半導体記憶素子や、フレキシブルディスク、ＣＤ−Ｒ（Compact Disc−Recordable）、及びＣＤ−ＲＷ（Compact Disc−ReWritable）等の可搬型の記録媒体、ＨＤＤ（Hard Disk Drive）、或いはネットワークに接続されたサーバ・コンピュータ等に設けられた外部記憶装置等を適用してもよい。
【００３７】
次に、本実施の形態に係る画像表示装置１０の作用を説明する。
【００３８】
本実施の形態に係る表示媒体１２では、電極１６Ａ，１６Ｂ間に電気泳動粒子群１８が移動するのに必要な電圧が印加されると、電気泳動粒子群１８は非電気泳動粒子群２０を掻き分けて分散液体２２中を移動する。図２（Ａ）は、電気泳動粒子群１８が電極１６Ｂの側に移動した場合を示しており、この場合、基板１４Ａ側には白色の画像が表示される一方、基板１４Ｂ側には黒色の画像が表示される。
【００３９】
しかし、電気泳動粒子群１８が非電気泳動粒子群２０を掻き分けて移動することによって、分散液体２２中に非電気泳動粒子群２０の多い場所と非電気泳動粒子群２０の少ない場所とが生じる、すなわち、非電気泳動粒子群２０の疎密が生じる。そして、画像の表示及び画像の消去が繰り返し行われ、電気泳動粒子群１８が図２（Ａ）の矢印Ａ方向及び矢印Ｂ方向に繰り返し移動すると、非電気泳動粒子群２０は疎の場所を優先して移動するため、上記疎密の差がより大きくなる。その結果、図２（Ｂ）に示すように、本来、基板１４Ａ側には白色の画像が表示されるべきところ、白色の領域内に黒色の領域が生じた色むらを有する画像が表示され、また、基板１４Ｂ側には黒色の画像が表示されるべきところ、黒色の領域内に白色の領域が生じた色むらを有する画像が表示される。
【００４０】
そこで、本実施の形態に係る画像表示装置１０では、上記色むらを解消するために、予め定められたタイミングで、電気泳動粒子群１８を、画像を表示する方向（図２の矢印Ａ及び矢印Ｂ方向）とは異なる方向に移動させることによって、電気泳動粒子群１８を非電気泳動粒子群２０に衝突させ、当該衝突によって非電気泳動粒子群２０を移動させる衝突処理を含む初期化処理を行う。
【００４１】
なお、本実施の形態に係る画像表示装置１０では、上記衝突処理として、隣り合う電極１６Ａ毎及び隣り合う電極１６Ｂ毎に大きさが異なると共に、対向する電極１６Ａと電極１６Ｂとに印加される電圧の大きさが異なるように電圧印加部５６を制御する。
【００４２】
また、本実施の形態に係る画像表示装置１０では、初期化処理を行う上記予め定められたタイミングとして、図示しない操作部を介して、ユーザによって初期化処理を行う指示が入力されたタイミングを適用するが、これに限らず、画像の表示及び画像の消去が繰り替えし行われた回数が予め定められた回数に達したタイミング、及び電極１６Ａ，１６Ｂ間に電界を発生させた合計時間をカウントし、当該合計時間が予め定められた合計時間に達したタイミング等、他のタイミングを適用してもよい。
【００４３】
図３に、画像表示装置１０にユーザによって初期化処理を行う指示が入力され場合に、ＣＰＵ５０によって実行される初期化プログラムの処理の流れを示すフローチャートを示す。なお、当該プログラムは、ＲＯＭ５２の予め定められた領域に予め記憶されている。
【００４４】
まず、ステップ１００では、画像が表示されている表示媒体１２には、図４（Ａ）に示すように、基板１４Ａの側に位置している電気泳動粒子群１８、及び基板１４Ｂの側に位置している電気泳動粒子群１８があるため、電気泳動粒子群１８を、電極１６Ａが設けられている方向（基板１４Ａの側）、又は、電極１６Ｂが設けられている方向（基板１４Ｂの側）に移動させ、電気泳動粒子群１８が、電極１６Ａ、又は、電極１６Ｂの何れか一方の側に集まるように、電圧印加部５６を制御する移動処理を行う。
【００４５】
上記移動処理としては、電圧印加部５６によって、電極１６Ａに正の電位の電圧を印加させる一方、電極１６Ｂに負の電位の電圧を印加させる。これにより、正に帯電されている電気泳動粒子群１８は、図４（Ｂ）に示すように電極１６Ｂが設けられている方向に移動する。
【００４６】
あるいは、電圧印加部５６によって、電極１６Ａに負の電位を電圧を印加させる一方、電極１６Ｂに正の電位の電圧を印加させ、電気泳動粒子群１８を電極１６Ａが設けられている方向に移動させてもよい。
【００４７】
次のステップ１０２では、図４（Ｃ）に示すように、電気泳動粒子群１８が、電極１６Ａが設けられている方向（基板１４Ａの側）に、基板１４Ａ，１４Ｂ間の間隙に比較して短い距離移動するように電圧印加部５６を制御する微小移動処理を行う。
【００４８】
当該微小移動処理を行う理由は、電気泳動粒子群１８を基板１４Ｂから離すことで、衝突処理を行った場合に電気泳動粒子群１８を動きやすくさせるためである。また、基板１４Ａ，１４Ｂ間の間隔に比較して、隣り合う電極１６Ｂ同士の間隔のほうが短いため、衝突処理において、対向する電極１６Ａと電極１６Ｂとの間の単位長さ当たりの電位差に比較して、隣り合う電極１６Ｂ同士の間の単位長さ当たりの電位差が大きくなる場合があり、この場合に、微小移動処理を行わずに衝突処理を行うと、隣の電極１６Ｂにより近い位置の電気泳動粒子群１８が、隣の電極１６Ｂの方向に移動し、非電気泳動粒子群２０との衝突に寄与しない場合があるためである。すなわち、微小移動処理を行うことによって、衝突処理において、非電気泳動粒子群２０との衝突に寄与する電気泳動粒子群１８を増加させる。
【００４９】
上記微小移動処理は、上記移動処理において電気泳動粒子群１８を電極１６Ｂが設けられている方向に移動させた場合の処理であるが、上記移動処理において電気泳動粒子群１８を電極１６Ａに設けられている方向に移動させた場合、電気泳動粒子群１８を基板１４Ａから離す方向に微小移動処理を行えばよい。
【００５０】
なお、本実施の形態に係る画像表示装置１０では、微小移動処理として、画像表示処理を行う場合に比較して短い時間、電極１６Ａ，１６Ｂ間に電圧を印加するように電圧印加部５６を制御する短時間印加処理を適用するが、これに限らず、画像表示処理を行う場合に比較して小さい電位差の電圧を電極１６Ａ，１６Ｂ間に印加するように電圧印加部５６を制御する小電位差処理や、短時間印加処理と小電位差処理とを組み合わせた処理等、他の処理を適用してもよい。
【００５１】
例えば、画像表示処理において、電極１６Ａ，１６Ｂ間に電圧を印加する時間を１００ｍｓｅｃとし、電極１６Ａに印加した電圧と電極１６Ｂに印加した電圧との差を１５Ｖとする場合、短時間印加処理では、電極１６Ａ，１６Ｂ間に電圧を印加する時間を１０ｍｓｅｃとし、小電位差処理では、電極１６Ａに印加した電圧と電極１６Ｂに印加した電圧との差を５Ｖとする。
【００５２】
次のステップ１０４では、上述した衝突処理を行い、本プログラムを終了する。
【００５３】
なお、衝突処理として、図４（Ｄ）に示すように、隣り合う電極１６Ａのうち、一方の電極１６Ａには、大きさ＋Ｖａの電圧を印加し、他方の電極１６Ａには、大きさ＋Ｖｂの電圧を印加する。そして、大きさ＋Ｖａの電圧が印加された電極１６Ａに対向する電極１６Ｂには、大きさ−Ｖｂの電圧を印加し、大きさ＋Ｖｂの電圧が印加された電極１６Ａに対向する電極１６Ｂには、大きさ−Ｖａの電圧を印加する。
【００５４】
なお、本実施の形態に係る画像表示装置では、衝突処理において、大きさ＋Ｖｂ及び大きさ−Ｖｂの電圧を０Ｖの電圧とすると共に、大きさ＋Ｖａの電圧と大きさ−Ｖａの電圧との差を、画像表示処理において電極１６Ａに印加した電圧と電極１６Ｂに印加した電圧との差に相当する大きさとするが、これに限らないことはいうまでも無い。
【００５５】
上記電圧を電極１６Ａ，１６Ｂに印加することで、電気泳動粒子群１８は、図４（Ｄ）の破線により示される方向に移動して非電気泳動粒子群２０と衝突し、当該衝突によって非電気泳動粒子群２０は移動し、非電気泳動粒子群２０が分散される。
【００５６】
また、本実施の形態に係る衝突処理では、電極１６Ａ，１６Ｂ間に電圧を印加する時間として、非電気泳動粒子群２０の偏在が解消されるのに要する時間を実験的に予め求め、当該予め求められた時間に応じた時間を適用するが、これに限らず、例えば、シミュレーションによって求められた非電気泳動粒子群２０の偏在が解消されるのに要する時間等、他の方法によって求められた時間を適用してもよい。
【００５７】
以上、本発明を上記実施の形態を用いて説明したが、本発明の技術的範囲は上記実施の形態に記載の範囲には限定されない。発明の要旨を逸脱しない範囲で上記実施の形態に多様な変更又は改良を加えることができ、当該変更又は改良を加えた形態も本発明の技術的範囲に含まれる。
【００５８】
また、上記実施の形態は、クレーム（請求項）にかかる発明を限定するものではなく、また実施の形態の中で説明されている特徴の組み合わせの全てが発明の解決手段に必須であるとは限らない。前述した実施の形態には種々の段階の発明が含まれており、開示される複数の構成要件における組み合わせにより種々の発明を抽出できる。上記実施の形態に示される全構成要件から幾つかの構成要件が削除されても、効果が得られる限りにおいて、この幾つかの構成要件が削除された構成が発明として抽出され得る。
【００５９】
例えば、上記実施の形態では、基板１４Ａ，１４Ｂ共に透光性を有する場合について説明したが、本発明はこれに限定されるものではなく、基板１４Ａ，１４Ｂの一方が透光性を有する形態としてもよい。
【００６０】
また、上記実施の形態では、衝突処理として、隣り合う電極１６Ａ毎、及び隣り合う電極１６Ｂ毎に印加される電圧の大きさが異なる場合について説明したが、本発明はこれに限定されるものではなく、隣り合う２つ以上の電極１６Ａ毎、及び隣り合う２つ以上の電極１６Ｂ毎に印加される電圧の大きさが異なる形態としてもよい。なお、この形態の場合も、対向する電極１６Ａと電極１６Ｂとで印加される電圧の大きさを、異なる大きさの電圧とする。
【００６１】
また、上記実施の形態では、電極１６Ａが複数備えられている場合について説明したが、本発明はこれに限定されるものではなく、図５に示すように、電極１６Ａ’を表示媒体１２’の画像が表示される面全体を覆う一枚の電極とする形態としてもよい。
【００６２】
この形態の場合、衝突処理として、隣り合う電極１６Ｂ毎に大きさが異なると共に、電極１６Ａ’と複数の電極１６Ｂとに印加される電圧の大きさが異なるように電圧印加部５６を制御する。より具体的には、電極１６Ａ’には、大きさ＋Ｖａの電圧を印加し、隣り合う電極１６Ｂのうち、一方の電極１６Ｂには、大きさ−Ｖｂの電圧を印加し、他方の電極１６Ｂには、大きさ−Ｖｃの電圧を印加する。
【００６３】
なお、本実施の形態においては、表示媒体１２には、一色の電気泳動粒子群１８が封入されている場合について説明したが、本発明はこれに限定されるものではなく、複数色の電気泳動粒子群１８が封入され、当該複数色の電気泳動粒子群１８によって多色表示を行う形態としてもよい。
【００６４】
この形態の場合、電気泳動粒子群１８の種類（各色）毎に、電気泳動粒子群１８の電界に応じて移動するために必要な電圧の範囲が異なるように、電気泳動粒子群１８を予め調整し、特定の電圧範囲の電圧を基板１４Ａ，１４Ｂ間に印加することによって、基板１４Ａ，１４Ｂ間において移動対象となる色の電気泳動粒子群１８を選択的に移動させる。
【００６５】
その他、上記実施の形態で説明した画像表示装置１０の構成（図１参照。）は一例であり、本発明の主旨を逸脱しない範囲内において不要な部分を削除したり、新たな部分を追加したりすることができることは言うまでもない。
【００６６】
また、上記実施の形態で説明した初期化プログラムの処理の流れ（図３参照。）も一例であり、本発明の主旨を逸脱しない範囲内において不要なステップを削除したり、新たなステップを追加したり、処理順序を入れ替えたりすることができることは言うまでもない。例えば、初期化プログラムにおいて、移動処理及び微小移動処理のうち、少なくとも一方の処理を行わずに、衝突処理を行う形態としてもよい。
【００６７】
また、上記実施の形態に係る初期化プログラムは、ＲＯＭ５２に予めインストールしておく形態や、コンピュータ読み取り可能な記録媒体に格納された状態で提供される形態、有線又は無線による通信手段を介して配信される形態等に適用することができる。
【符号の説明】
【００６８】
１０    画像表示装置
１２    表示媒体
１４Ａ，１４Ｂ  基板
１６Ａ  電極（第１の電極）
１６Ｂ  電極（第２の電極）
１８    電気泳動粒子（第１の粒子）
２０    非電気泳動粒子（第２の粒子）
２２    分散液体
５０    ＣＰＵ（制御手段）
５６    電圧印加部（電圧印加手段）
【図１】
2010181548.tif 000003
【図３】
2010181548.tif 000004
【図４】
2010181548.tif 000005
【図５】
2010181548.tif 000006
【図２】
2010181548.tif 000007